(57)【要約】  吊子を用いる嵌合式の連結構造でありながら、キャップを使用せず、それでいて、強固な連結機能と高い防水性能を発揮する屋根板の連結構造を提供する。  ２枚の屋根板１ａ・１ｂのうちの一方の屋根板１ａの左側縁部の立ち上がり部１２１の上部に被係止部１２４を形成する。他方の屋根板１ｂの右側縁部の立ち上がり部１３１の上部に嵌合連結用の雌形凸条１３４を形成する。雌形凸条１３４の立ち下がり部１３５の下端に抜け止め部１３６を形成するとともに、抜け止め部１３６の立ち上がり部１３１寄りの位置に狭隘部１３７を形成する。他方、吊子２の上部には係止部２３を形成する。そして、一方の屋根板１ａの被係止部１２４が吊子２の係止部２３に係止された状態で、他方の屋根板１ｂの嵌合連結用の雌形凸条１３４が吊子２の係止部２３に外嵌されることにより、２つの屋根板１ａ・１ｂが互いに連結される。
2014054333.tif 000002
【特許請求の範囲】
【請求項１】
並列した２枚の屋根板（１ａ）・（１ｂ）と吊子（２）とを備えた屋根板の連結構造であって、
前記２枚の屋根板（１ａ）・（１ｂ）のうちの一方の屋根板（１ａ）には、その側縁部（１２）を折り曲げて第１の立ち上がり部（１２１）を形成するとともに、同第１の立ち上がり部（１２１）の上部に被係止部（１２４）を形成し、
前記２枚の屋根板（１ａ）・（１ｂ）のうちの他方の屋根板（１ｂ）には、その側縁部（１３）を折り曲げて第２の立ち上がり部（１３１）を形成するとともに、同第２の立ち上がり部（１３１）の上部に嵌合連結用の雌形凸条（１３４）を形成し、この雌形凸条（１３４）の前記第２の立ち上がり部（１３１）とは反対側を折り下げて立ち下がり部（１３５）を形成し、この立ち下がり部（１３５）の下端を前記第２の立ち上がり部（１３１）側に折り曲げて抜け止め部（１３６）を形成するとともに、同抜け止め部（１３６）の前記第２の立ち上がり部（１３１）寄りの位置に狭隘部（１３７）を形成し、
前記吊子（２）は、下地部材（４）に固定される固定部（２１）と、同固定部（２１）から立ち上がる第３の立ち上がり部（２２）と、同第３の立ち上がり部（２２）の上端に形成された係止部（２３）と、を備え、
前記一方の屋根板（１ａ）の被係止部（１２４）が前記吊子（２）の係止部（２３）に係止された状態で、前記他方の屋根板（１ｂ）の嵌合連結用の雌形凸条（１３４）が前記吊子（２）の係止部（２３）に外嵌されることにより、前記２つの屋根板（１ａ）（１ｂ）が互いに連結されることを特徴とする屋根板の連結構造。
【請求項２】
請求項１に記載の屋根板の連結構造において、
前記一方の屋根板（１ａ）は、前記第１の立ち上がり部（１２１）の基端部に第１の傾斜部（１２２）を備え、
前記他方の屋根板（１ｂ）は、前記狭隘部（１３７）から下方に向けて末広がり状に拡がるスカート部（１３８）を備え、
前記スカート部（１３８）の下端（１３８ａ）は前記第１の傾斜部（１２２）の傾斜面に当接していることを特徴とする屋根板の連結構造。
【請求項３】
請求項１又は２に記載の屋根板の連結構造において、
前記嵌合連結用の雌形凸条（１３４）における前記立ち下がり部（１３５）と前記抜け止め部（１３６）とのなす角（θ）が９０°よりも小さい角度であることを特徴とする屋根板の連結構造。
【請求項４】
請求項１ないし３のいずれか１項に記載の屋根板の連結構造において、
前記吊子（２）の係止部（２３）は、その外形が上方に向かって先細り状になっていることを特徴とする屋根板の連結構造。
【請求項５】
請求項１ないし４のいずれか１項に記載の屋根板の連結構造において、
前記第１の立ち上がり部（１２１）、前記第２の立ち上がり部（１３１）及び前記第３の立ち上がり部（２２）はいずれも平板な板状部分（１２３）・（１３３）・（２２）を有し、この板状部分（１２３）・（１３３）・（２２）を重ね合わせることで、前記第１の立ち上がり部（１２１）、前記第２の立ち上がり部（１３１）及び前記第３の立ち上がり部（２２）が積層状に密接していることを特徴とする屋根板の連結構造。
【請求項６】
請求項１ないし５のいずれか１項に記載の屋根板の連結構造において、
前記一方の屋根板（１ａ）の前記第１の立ち上がり部（１２１）と前記他方の屋根板（１ｂ）の前記狭隘部（１３７）との間に隙間（ｓ）が設けられていることを特徴とする屋根板の連結構造。
【請求項７】
請求項１ないし６のいずれか１項に記載の屋根板の連結構造において、
前記一方の屋根板（１ａ）の前記被係止部（１２４）の下端（１２４ａ）と前記他方の屋根板（１ｂ）の前記抜け止め部（１３６）との間に隙間（ｔ）が設けられていることを特徴とする屋根板の連結構造。
【請求項８】
請求項１ないし７のいずれか１項に記載の屋根板の連結構造において、
前記吊子（２）は、１枚の金属製板材を断面Ｓ字状に折り曲げて一体に形成されており、前記固定部（２１）と前記係止部（２３）とは前記第３の立ち上がり部（２２）を挟んで互いに反対側に折り曲げて形成されていることを特徴とする屋根板の連結構造。
【請求項９】
請求項２に記載の屋根板の連結構造において、
前記他方の屋根板（１ｂ）は、その第２の立ち上がり部（１３１）の基端部に第２の傾斜部（１３２）を備え、
前記第１の傾斜部（１２２）と前記第２の傾斜部（１３２）とは同一の傾斜角（φ）を有し、かつ、前記第２の傾斜部（１３２）の上端の位置（Ｘ）が、前記第１の傾斜部（１２２）と前記立ち下がり部（１３５）の延長線の交わる位置（Ｙ）と同じ高さにあることを特徴とする屋根板の連結構造。
【発明の詳細な説明】
【技術分野】
【０００１】
本発明は、屋根板の連結構造に関し、特に金属製屋根板の連結構造に関する。
【背景技術】
【０００２】
従来、金属製屋根板の連結構造としては、例えば、特許文献１〜５に記載されたものがある。これらに記載された屋根板の連結構造は、いずれも、風雨に対し十分に強固な連結機能を発揮するとともに、雨水の侵入に対し十分な防水機能を発揮するものである。
【先行技術文献】
【特許文献】
【０００３】
【特許文献１】特開２００２−４５１２号公報
【特許文献２】特開２００２−４５１３号公報
【特許文献３】特開２００２−４５１４号公報
【特許文献４】特開２００６−１３８０８３号公報
【特許文献５】特開２００６−１３８０８４号公報
【発明の概要】
【発明が解決しようとする課題】
【０００４】
しかし、近時の大型台風や大型ハリケーン、さらには巨大竜巻の発生に伴い、より強固で十分な防水機能を有する屋根板の連結構造が求められている。【０００５】
ところで、吊子を用いる嵌合式の屋根板の連結構造にあっては、従来、キャップと呼ばれる部材を使用して屋根板同士を連結固定していたが、その分、部品点数が増加するという問題があった。【０００６】
このため、吊子を用いる嵌合式の連結構造でありながら、キャップを必要とせず、それでいて、より強固な連結機能と、より高い防水性能を発揮する屋根板の連結構造が求められている。【０００７】
本発明は、かかる課題を解決するためになされたものであり、吊子を用いる嵌合式の連結構造でありながら、キャップを必要とせず、それでいて、より強固な連結機能と、より高い防水性能を発揮する屋根板の連結構造を提供することを目的とする。
【課題を解決するための手段】
【０００８】
上記目的を達成するために、本発明は、以下のように構成したことを特徴とする。
すなわち、本発明は、並列した２枚の屋根板（１ａ）・（１ｂ）と吊子（２）とを備えた屋根板の連結構造であって、
前記２枚の屋根板（１ａ）・（１ｂ）のうちの一方の屋根板（１ａ）には、その側縁部（１２）を折り曲げて第１の立ち上がり部（１２１）を形成するとともに、同第１の立ち上がり部（１２１）の上部に被係止部（１２４）を形成し、
前記２枚の屋根板（１ａ）・（１ｂ）のうちの他方の屋根板（１ｂ）には、その側縁部（１３）を折り曲げて第２の立ち上がり部（１３１）を形成するとともに、同第２の立ち上がり部（１３１）の上部に嵌合連結用の雌形凸条（１３４）を形成し、この雌形凸条（１３４）の前記第２の立ち上がり部（１３１）とは反対側を折り下げて立ち下がり部（１３５）を形成し、この立ち下がり部（１３５）の下端を前記第２の立ち上がり部（１３１）側に折り曲げて抜け止め部（１３６）を形成するとともに、同抜け止め部（１３６）の前記第２の立ち上がり部（１３１）寄りの位置に狭隘部（１３７）を形成し、
前記吊子（２）は、下地部材（４）に固定される固定部（２１）と、同固定部（２１）から立ち上がる第３の立ち上がり部（２２）と、同第３の立ち上がり部（２２）の上端に形成された係止部（２３）と、を備え、
前記一方の屋根板（１ａ）の被係止部（１２４）が前記吊子（２）の係止部（２３）に係止された状態で、前記他方の屋根板（１ｂ）の嵌合連結用の雌形凸条（１３４）が前記吊子（２）の係止部（２３）に外嵌されることにより、前記２つの屋根板（１ａ）（１ｂ）が互いに連結されることを特徴とする。【０００９】
本発明は上記のとおり構成したので、吊子を用いる嵌合式の屋根板の連結構造でありながら、キャップを必要としない。このため、部品点数を削減することができる。
また、他方の屋根板（１ｂ）の嵌合連結用の雌形凸条（１３４）の立ち下がり部（１３５）の下端に抜け止め部（１３６）及び狭隘部（１３７）が形成されているので、一方の屋根板（１ａ）を吊子（２）に係止した状態のまま他方の屋根板（１ｂ）の嵌合状態を保持することができ、これにより、吊子（２）を介して両屋根板（１ａ）（１ｂ）を強固に連結することができる。
さらに、他方の屋根板（１ｂ）の嵌合連結用の雌形凸条（１３４）の狭隘部（１３７）によって雨水の侵入が防止されるので、十分な防水機能も発揮することができる。【００１０】
また、本発明は、上記構成において、
前記一方の屋根板（１ａ）は、前記第１の立ち上がり部（１２１）の基端部に第１の傾斜部（１２２）を備え、
前記他方の屋根板（１ｂ）は、前記狭隘部（１３７）から下方に向けて末広がり状に拡がるスカート部（１３８）を備え、
前記スカート部（１３８）の下端（１３８ａ）は前記第１の傾斜部（１２２）の傾斜面に当接していることを特徴とする。【００１１】
これにより、他方の屋根板（１ｂ）の下端（１３８ａ）を第１の傾斜部（１２２）の傾斜面に当接させて封止できるとともに、雨水の侵入をこの傾斜面によって跳ね返すことができるので、防水機能をさらに向上させることができる。【００１２】
また、本発明は、上記構成において、
前記嵌合連結用の雌形凸条（１３４）における前記立ち下がり部（１３５）と前記抜け止め部（１３６）とのなす角（θ）が９０°よりも小さい角度であることを特徴とする。【００１３】
これにより、抜け止め部（１３６）の抜け止め作用がより強固になるので、両屋根板（１ａ）（１ｂ）をさらに強固に連結することができる。【００１４】
また、本発明は、上記構成において、
前記吊子（２）の係止部（２３）は、その外形が上方に向かって先細り状になっていることを特徴とする。【００１５】
これにより、他方の屋根板（１ｂ）の嵌合連結用の雌形凸条（１３４）を吊子（２）に外嵌する際に、吊子（２）の係止部（２３）を狭隘部（１３７）の間から挿通させ易くなるので、作業効率を向上させることができる。【００１６】
また、本発明は、上記構成において、
前記第１の立ち上がり部（１２１）、前記第２の立ち上がり部（１３１）及び前記第３の立ち上がり部（２２）はいずれも平板な板状部分（１２３）・（１３３）・（２２）を有し、この板状部分（１２３）・（１３３）・（２２）を重ね合わせることで、前記第１の立ち上がり部（１２１）、前記第２の立ち上がり部（１３１）及び前記第３の立ち上がり部（２２）が積層状に密接していることを特徴とする。【００１７】
また、本発明は、上記構成において、
前記一方の屋根板（１ａ）の前記第１の立ち上がり部（１２１）と前記他方の屋根板（１ｂ）の前記狭隘部（１３７）との間に隙間（ｓ）が設けられていることを特徴とする。【００１８】
また、本発明は、上記構成において、
前記一方の屋根板（１ａ）の前記被係止部（１２４）の下端（１２４ａ）と前記他方の屋根板（１ｂ）の前記抜け止め部（１３６）との間に隙間（ｔ）が設けられていることを特徴とする。【００１９】
また、本発明は、上記構成において、
前記吊子（２）は、１枚の金属製板材を断面Ｓ字状に折り曲げて一体に形成されており、前記固定部（２１）と前記係止部（２３）とは前記第３の立ち上がり部（２２）を挟んで互いに反対側に折り曲げて形成されていることを特徴とする。【００２０】
また、本発明は、上記構成において、
前記他方の屋根板（１ｂ）は、その第２の立ち上がり部（１３１）の基端部に第２の傾斜部（１３２）を備え、
前記第１の傾斜部（１２２）と前記第２の傾斜部（１３２）とは同一の傾斜角（φ）を有し、かつ、前記第２の傾斜部（１３２）の上端の位置（Ｘ）が、前記第１の傾斜部（１２２）と前記立ち下がり部（１３５）の延長線の交わる位置（Ｙ）と同じ高さにあることを特徴とする。
【発明の効果】
【００２１】
本発明は上記のように構成したので、吊子を用いる嵌合式の屋根板の連結構造でありながら、キャップを必要とせず、それでいて、強固な連結機能と高い防水性能を発揮することができる。
【図面の簡単な説明】
【００２２】
【図１】図１（Ａ）は本発明の実施例に係る屋根板の連結構造の縦断正面図、図１（Ｂ）はその要部拡大図である。
【図２】本発明の実施例に係る屋根板の縦断正面図である。
【図３】図２の左側縁部の拡大図である。
【図４】図４（Ａ）は図２の右側縁部の拡大図、図４（Ｂ）はさらにその要部拡大図である。
【図５】本発明の実施例に係る吊子の縦断正面図である。
【図６】図６（Ａ）は本発明の別実施例に係る屋根板の連結構造の縦断正面図、図６（Ｂ）はその要部拡大図である。
【図７】図７（Ａ）は本発明の別実施例における屋根板の右側縁部の拡大図、図７（Ｂ）はさらにその要部拡大図である。
【図８】本発明の別実施例に係る吊子の縦断正面図である。
【発明を実施するための形態】
【００２３】
以下、本発明の実施例に係る屋根板の連結構造について、図１〜図５に基づいて説明する。図１〜５に記載の実施例は、本発明を縦葺き屋根に適用した場合を示している。
【００２４】
この実施例は、図１（Ａ）に示すとおり、右側の屋根板１ａと左側の屋根板１ｂと吊子２とを備える。
このうち、右側の屋根板１ａ及び左側の屋根板１ｂは、図２に示すとおり、略平坦な屋根板本体１１と、その左右に位置する左側縁部１２及び右側縁部１３とを有する。右側の屋根板１ａ及び左側の屋根板１ｂはいずれも１枚の金属製板材を曲げ加工により折り曲げて一体に形成されている。図１（Ａ）において、右側の屋根板１ａ及び左側の屋根板１ｂはいずれも図２に示す屋根板１と同一の形状及び構成を有しており、この屋根板１を家屋等の建物の上部に左右に並列して配置したものである。以下では、右側の屋根板１ａ及び左側の屋根板１ｂに共通する部分については屋根板１として説明し、特に左右を明示する必要があるときは右側の屋根板１ａ又は左側の屋根板１ｂであることを明示して説明することとする。
【００２５】
屋根板本体１１は野地板等の下地部材４の上に配置され、その上面側が屋外側に位置するようになっている。
【００２６】
屋根板１の左側縁部１２は、曲げ加工により上方に折り曲げられて立ち上がり部１２１（第１の立ち上がり部１２１）を形成している。第１の立ち上がり部１２１の基端部には傾斜部１２２（第１の傾斜部１２２）が形成されている。さらに、第１の立ち上がり部１２１は、この傾斜部１２２の上部に垂直部１２３を有する。この垂直部１２３は、屋根板本体１１に対し直角方向となるように傾斜部１２２の上部に設けられている。この垂直部１２３の上部は屋根板本体１１の上面側に折り返され、斜め下方に向けて下方広がり状に延びている。この折り返し部は被係止部１２４となっており、後述する吊子２の係止部２３内に受け入れられて係止されるようになっている。屋根板本体１１の上面側に折り返された折り返し端は、内側に丸め込まれて端部処理がなされ、これが被係止部１２４の下端１２４ａとなっている。
【００２７】
屋根板１の右側縁部１３は、曲げ加工により上方に折り曲げられて立ち上がり部１３１（第２の立ち上がり部１３１）を形成している。第２の立ち上がり部１３１の基端部には傾斜部１３２（第２の傾斜部１３２）が形成されている。さらに、第２の立ち上がり部１３１は、この傾斜部１３２の上部に垂直部１３３を有する。この垂直部１３３は、屋根板本体１１に対し直角方向となるように傾斜部１３２の上部に設けられている。この垂直部１３３の上部は屋根板本体１１とは反対側に折り曲げられている。この折曲部は比較的幅広で、上方に緩やかに湾曲するように折り曲げられており、この幅広の折曲部が嵌合連結用の雌形凸条１３４となる。
【００２８】
この幅広の折曲部、つまり、嵌合連結用の雌形凸条１３４の前記垂直部１３３とは反対側は下方に折り曲げられて、立ち下がり部１３５を形成している。この立ち下がり部１３５と垂直部１３３とは互いに略平行な面に形成されている。この立ち下がり部１３５の下端は、第２の立ち上がり部１３１側に折り曲げられて、抜け止め部１３６が形成されている。この抜け止め部１３６は、立ち下がり部１３５側に若干折り返すように折り曲げられている。言い換えれば、抜け止め部１３６と立ち下がり部１３５とのなす角度θは９０°未満となっており、これにより、抜け止め部１３６は立ち下がり部１３５の下端から第２の立ち上がり部１３１側に向けて上向きに傾斜することになり、これが抜け止め部１３６の抜け止め作用を強化することとなる。なお、本実施例では、この角度θは約８５°である。但し、この角度θは必ずしも９０°未満である必要はなく、９０°（直角）であってもよいし、９０°を超える角度であってもよい。
【００２９】
抜け止め部１３６はさらに第２の立ち上がり部１３１の垂直部１３３との間に僅かに隙間を設けて下方に折り曲げられ、この折曲部分が狭隘部１３７となっている。さらに、この狭隘部１３７よりも下方の部分は、下方広がり状に拡開されてスカート部１３８が形成されている。そして、このスカート部１３８の下端１３８ａは内側に丸め込まれて端部処理がなされ、この部分が後述するように当接部として機能するようになっている。
【００３０】
他方、吊子２は、図５に示すとおり、１枚の金属製板材を曲げ加工により断面Ｓ字状に折り曲げて一体に形成されており、固定部２１と立ち上がり部２２（第３の立ち上がり部２２）と係止部２３とを有する。吊子２は通し吊子であっても部分吊子であってもよい。固定部２１は、図１（Ａ）に示すとおり、ビス等の固定手段５により野地板等の下地部材４に固定される。第３の立ち上がり部２２は固定部２１から直角に折り上げられている。他方、第３の立ち上がり部２２の上部は、固定部２１とは反対側に折り曲げられた上、下方広がり状に折り返されており、この折曲部が係止部２３として機能するようになっている。具体的には、上記折曲部の内側の凹曲部が係止部２３となっており、この凹曲部に右側の屋根板１ａの被係止部１２４が受け入れられて係止されることになる。係止部２３として機能するこの凹曲部は、被係止部１２４が下から挿入されるように開口部が下方に向いており、上方に向けて先細り状になっている。そして、係止部２３の外形についても、上方に向けて先細り状になっており、狭隘部１３７を挿通させて嵌合連結用の雌形凸条１３４内に係止部２３を収容し易くなっている。
【００３１】
以上のとおり構成された各部材を建物の上部に組み付けると図１（Ａ）に示すとおりの構造になる。組み付け手順は次のとおりである。まず、野地板等の下地部材４にビス等の固定手段５で吊子２を固定する。次に、右側の屋根板１ａの被係止部１２４を吊子２の係止部２３に下から挿入する。この状態で、左側の屋根板１ｂの嵌合連結用の雌形凸条１３４を係止部２３に外嵌する。これにより、左右の屋根板１ａ・１ｂが吊子２を介して互いに連結され、建物の上部に固定されることになる。
【００３２】
なお、左側の屋根板１ｂの嵌合連結用の雌形凸条１３４を係止部２３に外嵌するには、係止部２３を狭隘部１３７の隙間から内部に通す必要があるが、係止部２３の外面が先細り状に形成されているため、可撓性を利用して左側の屋根板１ｂの立ち下げり部１３５を弾性変形させて狭隘部１３７の隙間を広げることができるので、嵌合連結用の雌形凸条１３４を容易に係止部２３に外嵌することができる。
【００３３】
この組み付け状態において、右側の屋根板１ａの第１の立ち上がり部１２１と左側の屋根板１ｂの第２の立ち上がり部１３１とは吊子２の第３の立ち上がり部２２を間に挟んで積層状に重なり合うようになっている。すなわち、右側の屋根板１ａの第１の立ち上がり部１２１は吊子２の第３の立ち上がり部２２に右側から密接し、左側の屋根板１ｂの第２の立ち上がり部１３１はその反対側から吊子２の第３の立ち上がり部２２に密接するようになっている。そして、このようにして３つの部材１ａ・１ｂ・２の板状部分１２１・１３１・２２が積層状に重なり合った状態で、左側の屋根板１ｂの狭隘部１３７と右側の屋根板１ａの第１の立ち上がり部１２１との間に隙間ｓが形成されるようになっている。
【００３４】
なお、本実施例においてビスやボルト等の固定手段を使用するのは吊子２を下地部材４に固定する場合だけであり、それ以外の箇所には使用していない。すなわち、屋根板１ａ・１ｂ相互の連結や吊子２と屋根板１ａ又は１ｂとの連結はすべてボルト等を使用しない嵌合式となっている。このため、無暗に屋根板１ａ・１ｂにビスやボルト等を挿通するための穴をあける必要がなく、雨水等の侵入を防止できる。
【００３５】
また、この種の吊子を用いるタイプの屋根板の連結構造では、従来、キャップと呼ばれる部材を必要としたが、本実施例では、屋根板自体に設けられている嵌合連結用の雌形凸条１３４がキャップの機能を果たすため別途キャップを設ける必要がない。このため、吊子を用いるタイプの連結構造でありながら、部品点数を削減できる。
【００３６】
本実施例は、さらに、組み付け状態において以下のような特徴を有している。
まず、図１（Ａ）に示すとおり、左側の屋根板１ｂのスカート部１３８の下端１３８ａが右側の屋根板１ａの傾斜部１２２（第１の傾斜部１２２）の傾斜面に当接するようになっている。これにより、雨水等はこの傾斜面で跳ね返され、たとえ雨水等がスカート部１３８の下端１３８ａと傾斜部１２２との間から侵入したとしても、雨水等はこの傾斜面を流れ落ちるため、それ以上の侵入は防止される。
【００３７】
また、本実施例では、図１（Ｂ）に拡大して示すとおり、組み付け状態において、狭隘部１３７には隙間ｓが形成されている。すなわち、右側の屋根板１ａの立ち上がり部１２１（第１の立ち上がり部１２１）と左側の屋根板１ｂの狭隘部１３７との間に通常時は隙間ｓが形成されており、この狭隘部１３７において左右の屋根板１ａ・１ｂがわずかに離間している。
また、右側の屋根板１ａの被係止部１２４の下端１２４ａと左側の屋根板１ｂの抜け止め部１３６との間にも通常時は隙間ｔが形成されるようになっており、両者がわずかに離間している。
なお、左側の屋根板１ｂの立ち下がり部１３５と抜け止め部１３６とのなす角θが９０°未満であることは前述のとおりである。
【００３８】
この結果、本実施例は以下のような効果を奏する。すなわち、例えば強風等により屋根板１ａ・１ｂに負圧が作用して屋根板１ａ・１ｂが若干浮き上がったとする。この場合、屋根板１ａ・１ｂは、通常、その真ん中あたり（図２の中心部付近）が持ち上がるように変形する。これを図１（Ａ）の右側の屋根板１ａについてみると、右側の屋根板１ａは第１の傾斜部１２２を介して左側の屋根板１ｂの当接部すなわちスカート部１３８の下端１３８ａを押し上げることになる。このスカート部１３８の下端１３８ａの押し上げはさらに左側の屋根板１ｂの抜け止め部１３６を上方に押し上げることになるが、この押し上げは抜け止め部１３６の抜け止め作用をより強固にする方向に働くため、結果的に右側の屋根板１ａはより強固に保持されることになる。このため、右側の屋根板１ａが外れて飛ばされるおそれがない。
【００３９】
同様に左側の屋根板１ｂについてみても、強風等の負圧により左側の屋根板１ｂの真ん中あたりが浮き上がるように変形した場合、第２の立ち上がり部１３１はその基端部を中心に外方に広がろうとするが、これは結果的に抜け止め部１３６を食い込ませるように作用するため、左側の屋根板１ｂもしっかりと保持されることになる。
【００４０】
さらに、本実施例では、図１（Ａ）に示すとおり、第１の傾斜部１２２と第２の傾斜部１３２とは同一の傾斜角φを有するようになっており、かつ、第２の傾斜部１３２の上端の位置Ｘが、第１の傾斜部１２２と立ち下がり部１３５の延長線の交わる位置Ｙと同じ高さにあるようになっている。この結果、本実施例は、外観上、嵌合連結用の雌形凸条１３４の中心線Ｗを挟んで左右対称に見えることになり、美観が向上する。また、本実施例では、上記第１の傾斜部１２２と第２の傾斜部１３２の傾斜角φは３９°となっている。この傾斜角φは、３０°〜６０°の範囲の角度であることが風雨に対する各屋根板１ａ・１ｂの固定機能を十分に発揮する上で好ましい。
【００４１】
図６〜８は、本発明の別実施例を示している。なお、先の実施例と同じ部材及び対応する部分には同じ符号を付している。
【００４２】
まず、この別実施例では、図７に端的に示されるように、屋根板１（図６における左側の屋根板１ｂ）の右側縁部１３の立ち下がり部１３５の下がり具合の態様において、先の実施例と異なる。すなわち、先の実施例では、立ち下がり部１３５が垂直部１３３と略平行になるように形成されていたが（図１・４参照）、この別実施例では、立ち下がり部１３５が下方に向けて末広がり状に広がるように予め形成されている。この結果、嵌合連結用の雌形凸条１３４を吊子２の上部（つまり係止部２３）に外嵌する際に、立ち下がり部１３５を弾性変形しやすくなり、両者を嵌合させる作業が容易になる。
【００４３】
次に、この別実施例では、抜け止め部１３６と立ち下がり部１３５とのなす角度θが９０°よりも大きくなっている点で、先の実施例と相違している。これにより、抜け止め部１３６は立ち下がり部１３５の下端から斜め下方、つまり、第２の立ち上がり部１３１側に向けて下方に傾斜することになる。この点でも、この別実施例では、嵌合連結用の雌形凸条１３４を吊子２の上部（つまり係止部２３）に外嵌しやすくなっている。
【００４４】
なお、この別実施例においても、スカート部１３８の下端１３８ａが右側の屋根板１ａの傾斜部１２２（第１の傾斜部１２２）の傾斜面に当接するようになっている点は先の実施例と同様である。
【００４５】
さらに、この別実施例では、吊子２が押出成形により製造されたアルミニウム合金製の押出型材からなっている点で、先の実施例と相違している。これにより、吊子２の厚みを厚くして強度を高めることができる。なお、図６では明示されていないが、この別実施例においても、吊子２がビス等の固定手段によって下地部材４に固定されている点は、先の実施例の場合と同様である。また、吊子２が通し吊子であっても部分吊子であってもよい点も、先の実施例の場合と同様である。
【００４６】
この別実施例においても、先の実施例と同様、ビスやボルト等の固定手段を使用するのは吊子２を下地部材４に固定する場合だけであり、それ以外の箇所には使用していない。つまり、この別実施例においても、屋根板１ａ・１ｂ相互の連結や吊子２と屋根板１ａ又は１ｂとの連結はすべてボルト等を使用しない嵌合式となっている。このため、無暗に屋根板１ａ・１ｂにビスやボルト等を挿通するための穴をあける必要がなく、雨水等の侵入を効果的に防止することができる。
【００４７】
また、この別実施例においても、先の実施例と同様、屋根板自体に設けられている嵌合連結用の雌形凸条１３４がキャップの機能を果たすため、別途キャップを設ける必要がない。この結果、吊子を用いるタイプの屋根板の連結構造でありながら、部品点数を削減することができる。
【符号の説明】
【００４８】
１              屋根板
１ａ            右側の屋根板（一方の屋根板）
１ｂ            左側の屋根板（他方の屋根板）
１２          左側縁部
１２１      立ち上がり部（第１の立ち上がり部）
１２２      傾斜部（第１の傾斜部）
１２３      垂直部
１２４      被係止部
１２４ａ    被係止部の下端
１３          右側縁部
１３１      立ち上がり部（第２の立ち上がり部）
１３２      傾斜部（第２の傾斜部）
１３３      垂直部
１３４      嵌合連結用の雌形凸条
１３５      立ち下がり部
１３６      抜け止め部
１３７      狭隘部
１３８      スカート部
１３８ａ    スカート部の下端
２              吊子
２１          固定部
２２          立ち上がり部（第３の立ち上がり部）
２３          係止部
４              野地板（下地部材）
５              ビス（固定手段）
ｓ              右側の屋根板（一方の屋根板）の第１の立ち上がり部と左側の屋根板（他方の屋根板）の狭隘部との間の隙間
ｔ              右側の屋根板（一方の屋根板）の被係止部の下端と左側の屋根板（他方の屋根板）の抜け止め部との間の隙間
Ｘ              第２の傾斜部の上端の位置
Ｙ              第１の傾斜部と立ち下がり部の延長線の交わる位置
θ              抜け止め部と立ち下がり部とのなす角度
φ              傾斜部の傾斜角
【図１】
2014054333.tif 000003
【図２】
2014054333.tif 000004
【図３】
2014054333.tif 000005
【図４】
2014054333.tif 000006
【図５】
2014054333.tif 000007
【図６】
2014054333.tif 000008
【図７】
2014054333.tif 000009
【図８】
2014054333.tif 000010
【国際調査報告】
2014054333.tif 000011
2014054333.tif 000012
2014054333.tif 000013